(57)【要約】  本実施形態で例示する表示装置（７０）は、他の表示装置が受信した映像入力信号に基づく映像信号が入力される映像入力部（７１）と、前記映像入力信号の変化を示す通信データを前記他の表示装置から受信する通信制御部（７３）と、前記通信制御部（７３）が受信した前記通信データに基づき、前記映像入力部（７１）から入力された映像信号の判定を行う映像信号判定部（７７）と、前記映像信号判定部（７７）の判定結果に基づいて、前記映像信号を調整する映像信号調整部（７８）とを備える。
2016135881.tif 000002
【特許請求の範囲】
【請求項１】
他の表示装置が受信した映像入力信号に基づく映像信号が入力される映像入力部と、
前記映像入力信号の変化を示す通信データを前記他の表示装置から受信する通信制御部と、
前記通信制御部が受信した前記通信データに基づき、前記映像入力部から入力された映像信号の判定を行う映像信号判定部と、
前記映像信号判定部の判定結果に基づいて、前記映像信号を調整する映像信号調整部と
を備える、表示装置。
【請求項２】
前記映像信号判定部は、前記映像信号の最小輝度と最大輝度とを測定し、測定された前記最小輝度と前記最大輝度から求められる輝度の範囲が所定の範囲内であるか否かを判定する、請求項１に記載の表示装置。
【請求項３】
前記映像信号判定部は、前記輝度の範囲が所定の範囲内である場合には前記映像信号の階調範囲が第１の階調範囲であると判定し、前記輝度の範囲が所定の範囲内でない場合には前記映像信号の階調範囲が前記第１の階調範囲より広い階調範囲を有する第２の階調範囲であると判定し、
前記映像信号調整部は、前記映像信号判定部が判定した階調範囲に基づき、前記映像信号の階調範囲を調整する、請求項２に記載の表示装置。
【請求項４】
前記映像信号判定部は、前記映像信号に基づき表示される映像の周辺部の輝度を測定し、測定された前記周辺部の輝度に基づき前記映像信号のスケーリングを判定する、請求項１から３のいずれか１項に記載の表示装置。
【請求項５】
受信した映像入力信号に基づき、映像信号を出力する映像出力部と、
前記映像入力信号の変化を検出する信号変化検出部と、
前記信号変化検出部が前記映像入力信号の変化を検出したときに、前記映像入力信号の変化を示す通信データを他の表示装置に送信する通信制御部と
を備える、表示装置。
【請求項６】
第１の表示装置と、第２の表示装置とを備える表示システムにおいて、
前記第１の表示装置は、
受信した映像入力信号に基づき、映像信号を前記第２の表示装置に出力する映像出力部と、
前記映像入力信号の変化を検出する信号変化検出部と、
前記信号変化検出部が前記映像入力信号の変化を検出したときに、前記映像入力信号の変化を示す通信データを前記第２の表示装置に送信する通信制御部と
を備え、
前記第２の表示装置は、
前記第１の表示装置から出力された映像入力信号が入力される映像入力部と、
前記映像入力信号の変化を示す通信データを前記第１の表示装置から受信する通信制御部と、
前記通信制御部が受信した前記通信データに基づき、前記映像入力部から入力された映像信号の判定を行う映像信号判定部と、
前記映像信号判定部の判定結果に基づいて、前記映像信号を調整する映像信号調整部と
を備える、表示システム。
【請求項７】
他の表示装置が受信した映像入力信号に基づく映像信号が入力される映像入力工程と、
前記映像入力信号の変化を示す通信データを前記他の表示装置から受信する受信工程と、
前記受信工程において受信した前記通信データに基づき、前記映像入力工程において入力された映像信号の判定を行う映像信号判定工程と、
前記映像信号判定工程における判定結果に基づいて、前記映像信号を調整する映像信号調整工程と
を含む、表示方法。
【請求項８】
受信した映像入力信号に基づき、映像信号を出力する映像出力工程と、
前記映像入力信号の変化を検出する信号変化検出工程と、
前記信号変化検出工程において前記映像入力信号の変化を検出したときに、前記映像入力信号の変化を示す通信データを他の表示装置に送信する通信制御工程と
を含む、表示方法。
【請求項９】
第１の表示装置における、
受信した映像入力信号に基づき、映像信号を第２の表示装置に出力する映像出力工程と、
前記映像入力信号の変化を検出する信号変化検出工程と、
前記信号変化検出工程において前記映像入力信号の変化を検出したときに、前記映像入力信号の変化を示す通信データを前記第２の表示装置に送信する通信制御工程と
を含み、
前記第２の表示装置における、
前記第１の表示装置から出力された前記映像信号が入力される映像入力工程と、
前記映像入力信号の変化を示す通信データを前記第１の表示装置から受信する通信制御工程と、
前記通信制御工程において受信した前記通信データに基づき、前記映像信号の判定を行う映像信号判定工程と、
前記映像信号判定工程における判定結果に基づいて、前記映像信号を調整する映像信号調整工程と
を含む、表示方法。
【請求項１０】
他の表示装置が受信した映像入力信号に基づく映像信号が入力される映像入力処理と、
前記映像入力信号の変化を示す通信データを前記他の表示装置から受信する受信処理と、
前記受信処理において受信した前記通信データに基づき、前記映像信号の判定を行う映像信号判定処理と、
前記映像信号判定処理における判定結果に基づいて、前記映像信号を調整する映像信号調整処理と
をコンピュータに実行させる、表示プログラム。
【発明の詳細な説明】
【技術分野】
【０００１】
本発明は、表示装置、表示システム、表示方法、及び表示プログラムに関する。
【背景技術】
【０００２】
複数の映像表示部を備え、電源が投入されると、輝度の補正処理を開始する命令をスレーブ装置に送信するマルチ画面表示装置がある。
また、複数のディスプレイをデイジーチェーン接続し、信号源から供給される映像信号が前段のディスプレイから後段のディスプレイに順次送られるディスプレイがある。
また、入力信号の信号規格がフルレンジかリミットレンジかを自動的に判定する液晶テレビ装置がある。
また、映像信号の画面の一番上から１水平ラインずつ順次輝度レベルを計測する映像表示装置がある。
上記の技術は、例えば、特許文献１〜４に記載されている。
【先行技術文献】
【特許文献】
【０００３】
【特許文献１】特開２０１２−２２２６３７号公報
【特許文献２】特開２０１２−１３８７１２号公報
【特許文献３】特開２００８−０２２０４９号公報
【特許文献４】特開２００４−１８６８０３号公報
【発明の概要】
【発明が解決しようとする課題】
【０００４】
表示装置に入力される映像入力信号には、映像の階調情報や映像の表示範囲を示す情報であるスケーリング等の映像関連情報を含むものがある。例えば、映像入力信号の１つである、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）信号には、映像関連情報として、ＡＶＩ（Ａｕｘｉｌｉａｒｙ  Ｖｉｄｅｏ  Ｉｎｆｏｒｍａｔｉｏｎ）を含むＩｎｆｏｆｒａｍｅ情報が含まれる。ＡＶＩには、例えば、ＲＧＢ信号の階調範囲が、１６〜２３５までのリミテッドレンジであるか、又は０〜２５６までのフルレンジであるかを示す「ＲＧＢ  Ｑｕａｎｔｉｚａｔｉｏｎ  Ｒａｎｇｅ」のパラメータが含まれる。また、ＡＶＩには、映像のスケーリングを示す「Ｓｃａｎ  Ｉｎｆｏｒｍａｔｉｏｎ」のパラメータが含まれる。
ＨＤＭＩ信号が入力された表示装置は、映像入力信号に含まれるＩｎｆｏｆｒａｍｅ情報を確認して、表示する映像の階調やスケーリング等の調整を行うことができる。【０００５】
しかし、複数の表示装置（モニタ）をデイジーチェーン接続等により接続した従来のマルチシステム用表示装置では、映像入力信号を分配する映像分配器を削減することを目的として、前段の表示装置の映像入力部に入力された映像入力信号を映像信号に変換して、変換した映像信号を自装置のパネルに出力するとともに後段の表示装置に出力するものがある。例えば、映像信号をＤＰ（Ｄｉｓｐｌａｙ  Ｐｏｒｔ）から出力する場合、ＤＰから出力される映像信号には映像関連情報を含ませることができない。従って、ＨＤＭＩ信号のように映像入力信号に映像関連情報を含む場合であっても、後段のモニタにはＨＤＭＩ信号の映像関連情報は入力されない。すなわち、前段の表示装置は、入力される映像入力信号に含まれる映像関連情報に基づき表示映像の調整ができるのに対して、映像関連情報が欠落する映像信号が入力される後段の表示装置は映像関連情報に基づく表示映像の調整ができない。従って、前段の表示装置で表示される映像と後段の表示装置で表示される映像とが異なってしまう場合があった。例えば、映像関連情報がＲＧＢ信号の階調範囲の情報を含む場合、後段の表示装置は階調範囲の調整ができないため、後段の表示装置で表示される映像の色合いが前段のモニタで表示される映像の色合いと異なってしまう場合があった。また、映像関連情報がスケーリングの情報を含む場合、後段の表示装置はスケーリングの調整ができないため、後段のモニタの周辺部に黒帯部分（黒枠状の形状を含む）が表示されたりする場合があった。
そこで、本発明は、映像入力信号が直接入力されない表示装置において表示映像の調整を可能とする、表示装置、表示システム、表示方法、及び表示プログラムを提供することを目的とする。
【課題を解決するための手段】
【０００６】
本発明の一実施形態における表示装置は、他の表示装置が受信した映像入力信号に基づく映像信号が入力される映像入力部と、前記映像入力信号の変化を示す通信データを前記他の表示装置から受信する通信制御部と、前記通信制御部が受信した前記通信データに基づき、前記映像入力部から入力された映像信号の判定を行う映像信号判定部と、前記映像信号判定部の判定結果に基づいて、前記映像信号を調整する映像信号調整部とを備える。
【発明の効果】
【０００７】
映像入力信号が直接入力されない表示装置において表示映像の調整を可能とする、表示装置、表示方法、及び表示プログラムを提供することができる。
【図面の簡単な説明】
【０００８】
【図１】第１の実施形態で例示する表示システムの構成を示す機能ブロック図である。
【図２】Ｉｎｆｏｆｒａｍｅ情報に含まれるＡＶＩ  Ｉｎｆｏｒｍａｔｉｏｎの詳細を示すテーブルである。
【図３】映像信号判定部の第１の構成を示すブロック図である。
【図４】１台目の表示装置の動作を示すフローチャートである。
【図５】２台目以降の表示装置の動作を示すフローチャートである。
【図６】映像信号判定部の第２の構成を示すブロック図である。
【図７】パネルの周辺部に設けられる測定点を示す図である。
【図８】第２の実施形態で例示する表示システムの構成を示す機能ブロック図である。
【図９】表示装置の構成を示す機能ブロック図である。
【発明を実施するための形態】
【０００９】
以下、本実施形態における表示装置を、図面を参照して説明する。
【００１０】
［第１の実施形態］
先ず、図１を用いて、第１の実施形態における表示システムを説明する。図１は、第１の実施形態として例示する表示システム１の構成を示す機能ブロック図である。
【００１１】
図１において、表示システム１は、１台目の表示装置として例示する第１の表示装置１０、２台目以降の表示装置として例示する第２の表示装置２０、及び、通信制御線３０を備える。本実施形態では、第１の表示装置１０と第２の表示装置２０の２台を備えた表示システムを例示するが、第２の表示装置２０の後段に３台目以降の表示装置をデイジーチェーン接続して表示システムを構成することができる。
【００１２】
第１の実施形態において、第１の表示装置１０と第２の表示装置２０は、同じ装置構成である場合を示している。すなわち、第１の実施形態は、最初に映像入力信号が入力される表示装置を第１の表示装置として、同じ表示装置を２台目以降の表示装置として表示システムを構成することができる場合を例示している。同じ装置構成の表示装置で表示システムを構成することにより、どの表示装置の接続順序を気にすることなく表示装置を配置することができる。
【００１３】
第１の表示装置１０は、映像入力部１１、映像出力部１２、通信制御部１３、システム制御部１４、コマンド送受信部１５、信号変化検出部１６、映像信号判定部１７、映像信号調整部１８、及び、パネル１９を備える。映像入力部１１は、ＤＶＩ（Ｄｉｇｉｔａｌ  Ｖｉｓｕａｌ  Ｉｎｔｅｒｆａｃｅ）入力部１１１、ＤＰ入力部１１２、ＨＤＭＩ入力部１１３、ＨＤ−ＢａｓｅＴ（登録商標）入力部１１４、及び、ＳＤＩ（Ｓｅｒｉａｌ  Ｄｉｇｉｔａｌ  Ｉｎｔｅｒｆａｃｅ）入力部１１５を有する。なお、図１では、パネル１９を第１の表示装置１０の外側に接続するように構成する場合を例示したが、パネル１９は表示装置１０に含まれるものとする。但し、本実施形態の表示装置は、パネルを含まない、パネルの表示を制御する装置としてもよい。次に説明する、第２の表示装置２０におけるパネル２９においても同様である。
【００１４】
第２の表示装置２０は、映像入力部２１、映像出力部２２、通信制御部２３、システム制御部２４、コマンド送受信部２５、信号変化検出部２６、映像信号判定部２７、映像信号調整部２８、及び、パネル２９を備える。映像入力部２１は、ＤＶＩ入力部２１１、ＤＰ入力部２１２、ＨＤＭＩ入力部２１３、ＨＤ−ＢａｓｅＴ入力部２１４、及び、ＳＤＩ入力部２１５を有する。
【００１５】
通信制御線３０は、第１の表示装置１０と第２の表示装置２０とを通信可能に接続する制御線であり、例えば、ＲＳ−２３２Ｃ、Ｅｔｈｅｒｎｅｔ（登録商標）を用いた優先ＬＡＮ（Ｌｏｃａｌ  Ａｒｅａ  Ｎｅｔｗｏｒｋ）を利用することができる。通信制御線３０には、図示しないＰＣや３台目以降の表示装置が接続されていてもよい。
【００１６】
先ず、第１の表示装置１０の装置構成を説明する。
映像入力部１１は、ＤＶＩ入力部１１１、ＤＰ入力部１１２、ＨＤＭＩ入力部１１３、ＨＤ−ＢａｓｅＴ入力部１１４、及び、ＳＤＩ入力部１１５それぞれの映像入力信号のインターフェイスを有して、それぞれのインターフェイスの入力ケーブルを接続可能にしている。映像入力部１１は、入力される上記複数種類の映像入力信号を切り替えることができる。映像入力信号の切り換えは、例えばユーザによるボタン操作等、明示的な選択操作により行うことができる。また、映像入力信号の切り換えは、映像入力部１１が、入力ケーブルの物理的な接続を検出することにより、又は映像入力信号の入力を検出することにより行うことができる。
【００１７】
映像出力部１２は、ＤＰ出力部１２１、及びパネル接続部１２２を有する。本実施形態において、ＤＰ出力部１２１、及びパネル接続部１２２から出力される映像信号は、ＤＰ信号であるものとする。ＤＰ出力部１２１から出力されるＤＰ信号は、第２の表示装置の映像入力部２１のＤＰ入力部２１２に入力される。すなわち、２台目以降の表示装置はデイジーチェーン接続によって前段の表示装置からＤＰ信号が入力されるものとする。パネル接続部１２２から出力される映像信号は、パネル１９に出力される。
本実施形態では、第１の表示システム１は、２台目以降の表示装置として第２の表示装置２０が接続される場合を例示している。しかし、装置の構成は３台以上の表示装置を接続する構成であってもよい。
また、本実施形態では、映像出力部と映像入力部が１対１で接続されて複数の表示装置が１列状に接続される所謂デイジーチェーン接続によって映像信号が送信される場合を例示するが、例えば、１の映像出力部が複数の映像入力部に接続されて映像信号を送信するようにしてもよい。
【００１８】
ここで、映像入力部１１から入力される映像入力信号と、映像出力部１２から出力される映像信号との関係について説明する。
例えば、映像入力部１１から入力される映像入力信号がＨＤＭＩ信号である場合、映像出力部１２からＨＤＭＩ信号を分配して出力するためには、ＨＤＭＩ信号の分配器を設けて出力する必要がある。また、２台目以降の表示装置においても、ＨＤＭＩ信号を分配して後段の表示装置に出力するためには同様に分配器が必要になる。複数種類の映像入力信号が入力可能な表示装置においては、映像入力信号の種類が増えると、分配器も映像入力信号の数に合わせて備える必要があり、コストが上昇する。例えばパブリックディスプレイ等の大型表示システムにおいては、使用する表示装置の数が多い。従って、２第目以降の表示装置において、ＤＰ信号やＤＶＩ信号等の単一の映像信号をデイジーチェーン接続で入力することにより、分配器を削減することができる。しかし、映像入力信号と映像信号とが異なる場合、１台目に入力される映像入力信号に含まれている映像関連情報が、出力する映像信号には含まれない場合がある。例えば、映像入力信号がＨＤＭＩのときに、２台目以降の表示装置に出力される映像信号がＤＰ信号であった場合、出力される映像信号には、ＨＤＭＩの映像関連情報が欠落することとなる。
【００１９】
通信制御部１３は、通信制御線３０を介して、第２の表示装置２０の通信制御部２３と通信する。通信制御部１３は、例えばネットワークコントローラである。通信制御部１３は、映像入力部１１に入力される映像入力信号の変化を示す通信データを通信制御部２３に送信する。通信制御部１３が送信する通信データは、通信制御線３０の通信プロトコルに基づく通信手順において送信することができる。なお、通信制御線３０に３台目以降の表示装置が接続されている場合、通信制御部１３は、３台目以降の表示装置に対して映像入力信号の変化を示す通信データを送信することができる。また、本実施形態では、通信制御部１３は、通信制御線３０を介した有線の通信を制御する場合を例示したが、例えば無線通信を制御するものであってもよい。
【００２０】
システム制御部１４は、第１の表示装置１０の全体の制御を行う。本実施形態では、システム制御部１４は、映像入力部１１、映像出力部１２、通信制御部１３、コマンド送受信部１５、信号変化検出部１６、映像信号判定部１７、及び映像信号調整部１８を制御する場合を例示する。システム制御部１４は、例えば、例えばＣＰＵ（Ｃｅｎｔｒａｌ  Ｐｒｏｃｅｓｓｉｎｇ  Ｕｎｉｔ）を備え、プログラムによって動作する。
【００２１】
コマンド送受信部１５は、映像入力部１１に入力される映像入力信号の変化があったときに、映像入力信号の変化を示す通信コマンドを生成し、通信制御部１３に送信する。通信制御部１３は、送信された通信コマンドを含む通信データを通信制御線３０の通信プロトコルに従って送信する。なお、コマンド送受信部１５のコマンド受信機能いついては、コマンド送受信部２５において説明する。
【００２２】
信号変化検出部１６は、映像入力部１１から入力される映像入力信号に変化があったか否かを検出する。本実施形態において信号変化検出部１６が検出するのは、映像入力部１１から入力される映像入力信号が変化することにより映像信号に対する再調整が必要な場合の映像入力信号の変化である。例えば、映像入力信号の階調範囲やスケーリングが変化した場合である。映像入力信号の変化は、例えば、図２を用いて説明する映像関連情報の変化を判断することにより検出することができる。また、映像入力部１１に入力される映像入力信号のユーザによる明示的な切り替えを検知することにより検出することができる。
【００２３】
映像信号判定部１７は、第１の表示装置１０においては利用しない。すなわち、映像信号判定部１７は第１の表示装置１０が、２台目以降の表示装置として配置されたときに利用される。第２の表示装置２０における映像信号判定部２７の動作の詳細は後述する。
【００２４】
映像信号調整部１８は、映像入力部１１に入力される映像入力信号をパネル１９の表示仕様に合わせて調整し、調整した映像信号を映像出力部１２に出力する。映像信号調整部１８は、例えば、映像入力部１１から入力される映像入力信号に含まれる映像関連情報に基づき出力する映像信号を調整する。ここで、図２を用いて、映像関連情報について説明する。
【００２５】
図２は、映像入力信号がＨＤＭＩ信号の場合における映像関連情報として例示する、Ｉｎｆｏｆｒａｍｅ情報に含まれるＡＶＩ  Ｉｎｆｏｒｍａｔｉｏｎの詳細を示すテーブルである。
図１で説明した映像入力信号には、映像関連情報を含むＨＤＭＩ信号がある。本実施形態では、映像入力信号がＨＤＭＩ信号の場合における映像関連情報を例示して説明する。
図２において、ＡＶＩ  Ｉｎｆｏｒｍａｔｉｏｎには、図示する映像関連情報が含まれる。本実施形態では、映像関連情報の中で、「Ｓｃａｎ  Ｉｎｆｏｒｍａｔｉｏｎ」及び「ＲＧＢ  Ｑｕａｎｔｉｚａｔｉｏｎ  Ｒａｎｇｅ」を用いて映像信号を調整する場合を例示する。したがって、図２においては、映像関連情報のうち、「Ｓｃａｎ  Ｉｎｆｏｒｍａｔｉｏｎ」及び「ＲＧＢ  Ｑｕａｎｔｉｚａｔｉｏｎ  Ｒａｎｇｅ」について説明し、他の映像関連情報の説明は省略する。
【００２６】
「Ｓｃａｎ  Ｉｎｆｏｒｍａｔｉｏｎ」は、映像の表示範囲を調整するためのスケーリングの情報である。例えば、オーバースキャンはスケーリングが０％より大きい場合であり、例えばテレビ受像機に映像を出力する場合は１５％のオーバースキャンに設定される。一方、アンダースキャンは、スケーリングが０％未満である場合を示す。ＨＤＭＩ信号を出力する機器には、ＨＤＭＩ信号の接続先に合わせてスケーリングを変更できる機器があり、出力されるＨＤＭＩ信号には映像関連情報として、出力するＨＤＭＩ信号のスケーリングの情報を示す「Ｓｃａｎ  Ｉｎｆｏｒｍａｔｉｏｎ」を含めることができる。したがって、「Ｓｃａｎ  Ｉｎｆｏｒｍａｔｉｏｎ」の情報を得られない２台目以降に接続される表示装置においては、正しいスケーリングがされないためにパネル周辺部に黒帯部分が生じる場合がある。
【００２７】
「ＲＧＢ  Ｑｕａｎｔｉｚａｔｉｏｎ  Ｒａｎｇｅ」は、映像信号のＲＧＢ信号の階調範囲を示す。例えば、「ＲＧＢ  Ｑｕａｎｔｉｚａｔｉｏｎ  Ｒａｎｇｅ」が「Ｌｉｍｉｔｅｄ」（リミテッドレンジ）の場合、ＲＧＢ信号の階調範囲が１６〜２３５であることを示す。また、「ＲＧＢ  Ｑｕａｎｔｉｚａｔｉｏｎ  Ｒａｎｇｅ」が「Ｆｕｌｌ」（フルレンジ）の場合、ＲＧＢ信号の階調範囲が０〜２５５であることを示す。映像信号の階調範囲と表示装置で表示される映像の階調範囲が異なると、表示される映像の色合いが正しく表示されない。例えば、映像信号の階調範囲が１６〜２３５のリミテッドレンジであるときに、表示装置の階調範囲が０〜２５５のフルレンジに設定されていると、映像信号の黒色を示す階調値１６は、表示装置の黒色を示す階調値０に対して１６階調高くなるため、映像信号の黒色が表示装置において白っぽく表示されることになる。一方、映像信号の階調範囲が０〜２５５のフルレンジであるときに、表示装置の階調範囲が１６〜２３５のリミテッドレンジに設定されていると、表示される映像全体が本来表示される映像に比べて暗く沈んだ色合いになる。したがって、「ＲＧＢ  Ｑｕａｎｔｉｚａｔｉｏｎ  Ｒａｎｇｅ」の情報を得られない２台目以降に接続される表示装置においては、映像の色合いが正しく表示されない場合がある。
【００２８】
図１で説明した信号変化検出部１６は、映像入力信号に含まれる上述した「Ｓｃａｎ  Ｉｎｆｏｒｍａｔｉｏｎ」または「ＲＧＢ  Ｑｕａｎｔｉｚａｔｉｏｎ  Ｒａｎｇｅ」の値に基づき、映像有力信号に変化があったか否かを検出することができる。
以上で、図２を用いた、映像関連情報として例示するＡＶＩ  Ｉｎｆｏｒｍａｔｉｏｎの説明を終了する。
【００２９】
再び図１に戻り、第１の実施形態では、映像信号調整部１８は、上述した映像関連情報に基づき、映像入力部１１から入力された映像入力信号の階調範囲とスケーリングを調整して、階調範囲とスケーリングが調整された映像信号を、映像出力部１２を介してパネル１９に出力する。なお、本実施形態では、パネル１９及びパネル２９はフルレンジの階調範囲を有するものとする。すなわち、映像信号調整部１８は、映像入力部１１から入力された映像入力信号の階調範囲をパネル１９の階調範囲に合わせて常にフルレンジに調整するものとする。
【００３０】
パネル１９は、映像出力部１２のパネル接続部１２２から出力される映像信号（ＤＰ信号）に基づき映像を表示する。複数のパネルを隣接して配置するマルチモニタシステムにおいては、パネル１９は、第２の表示装置に接続されるパネル２９と隣接させて配置される。従って、パネル１９で表示される映像とパネル２９で表示される映像とで色合いや画面サイズが異なると映像不一致が目立つ不具合を生じる。
【００３１】
次に、第２の表示装置２０の構成を説明する。第２の表示装置の構成は原則的に第１の表示装置１０の構成と同一である。従って、第１の表示装置１０と同じ動作をする構成については説明を省略する。
【００３２】
映像入力部２１は、他の表示装置として例示する第１の表示装置１０が受信した映像入力信号に基づく映像信号が入力される。映像入力部２１は、ＤＶＩ入力部２１１、ＤＰ入力部２１２、ＨＤＭＩ入力部２１３、ＨＤ−ＢａｓｅＴ入力部２１４、及び、ＳＤＩ入力部２１５それぞれの映像入力信号のインターフェイスを有している。しかし、本実施形態で例示する表示システム１では、映像入力部２１には、ＤＰ入力部１１２にＤＰ信号が入力され、他の信号の入力部は使用しないものとする。映像入力部２１を映像入力部１１と同様の構成とすることにより、第２の表示装置２０を映像入力信号が入力される第１の表示装置としても使用することも可能となる。なお、ＤＰ入力部２１２に入力されるＤＰ信号には、図２において説明した映像関連情報は含まれないものとする。
【００３３】
通信制御部２３は、通信制御線３０を介して、第１の表示装置１０の通信制御部２３と通信する。通信制御部２３は、第１の表示装置１０の映像入力部１１に入力される映像入力信号の変化を示す通信データを通信制御部１３から受信する。なお、接続される表示装置が３台目以降である場合においても、通信制御部２３と同様の動作を行う。
【００３４】
コマンド送受信部２５は、通信制御部２３が第１の表示装置１０の通信制御部１３から映像入力信号の変化を示す通信データを受信したときに、映像信号判定部２７に対して、映像入力信号が変化した旨を通知する。なお、コマンド送受信部２５は、コマンド送受信部１５で説明したコマンド送信機能も有する。
【００３５】
信号変化検出部２６は、映像入力部２１から入力される第１の表示装置１０において映像入力信号に変化があったか否かを検出する。しかし、本実施形態では映像入力部２１には、常にＤＰ信号入力部２１２を介してＤＰ信号が入力されるため、第２の表示装置２０においては機能しないものとする。
【００３６】
映像信号判定部２７は、通信制御部２３が受信した通信データに基づき、映像入力部２１から入力された映像信号の判定を行う。映像信号判定部２７は、信号変化検出部２６が第１の表示装置における映像入力信号の変化を検出したときに、映像入力部２１から入力されるＤＰ信号のＲＧＢ信号の階調範囲の判定を実行する。映像信号判定部２７の詳細を、図３を用いて説明する。
【００３７】
図３は、映像信号判定部２７の第１の構成を示すブロック図である。図３において、映像信号判定部２７の第１の構成として例示する映像信号判定部２７１は、最小輝度測定部２７１１と、最大輝度測定部２７１２を備える。
【００３８】
映像信号判定部２７２７は、最小輝度測定部２７１１によって映像信号の最小輝度を測定し、最大輝度測定部２７１２によって最大輝度を測定し、測定された最小輝度と最大輝度から求められる輝度の範囲が所定の範囲内であるか否かを判定する。
最小輝度測定部２７１１は、映像入力部２１から入力されるＤＰ信号のＲＧＢ信号の最小輝度を測定する。最大輝度測定部２７１２は、映像入力部２１から入力されるＤＰ信号のＲＧＢ信号の最大輝度を測定する。ＲＧＢ信号の輝度は、例えばＲＧＢ信号の信号レベルを基に検出することができる。映像信号判定部２７１は、最小輝度測定部２７１１が測定した最小輝度が予め設定された最小輝度より大きく、かつ最大輝度測定部２７１２が測定した最大輝度が予め設定された最大輝度より小さい場合、映像入力部２１から入力されるＤＰ信号は、第１の階調範囲とて例示するリミテッドレンジの階調範囲であると判定する。
一方、映像信号判定部２７１は、最小輝度測定部２７１１が測定した最小輝度が予め設定された最小輝度以下であり、または最大輝度測定部２７１２が測定した最大輝度が予め設定された最大輝度以上である場合、映像入力部２１から入力されるＤＰ信号は、第１の階調範囲より広い階調範囲を有する第２の階調範囲として例示するフルレンジの階調範囲であると判定する。
階調の判定は、例えば、所定の時間内におけるＲＧＢ信号における輝度を測定することにより行うことができる。また、パネル２９の所定の位置に表示される映像のＲＧＢ信号における輝度を測定することにより行うことができる。また、映像信号に含まれる階調の分布に基づき階調の判定を行ってもよい。
映像信号判定部２７１は、リミテッドレンジ又はフルレンジの階調範囲の判定結果を映像信号調整部２８に出力する。
以上で、図３を用いた、映像信号判定部２７の第１の構成として例示した映像信号判定部２７１の説明を終了する。
【００３９】
再び図１に戻り、映像信号調整部２８は、映像信号判定部２７から入力された階調範囲の判定結果に基づき、映像入力部２１から入力される映像信号（ＤＰ信号）を調整して、調整した映像信号（ＤＰ信号）を映像出力部２２に出力する。
映像信号調整部２８は、２つの階調処理の処理モードを有している。１つ目の処理モードは、入力されたＤＰ信号をリミテッドレンジからフルレンジへの拡張処理を行うモードである。２つ目の処理モードは、入力されたＤＰ信号の拡張処理を行わない処理モードである。２つの処理モードは、例えば、映像信号調整部２８の内部メモリにフラグの有無によって設定される。
映像信号調整部２８は、映像信号判定部２７から入力された階調範囲がリミテッドレンジである場合、上記階調処理の処理モードを拡大処理の処理モードにするフラグ設定を行う。すなわち  、拡大処理の処理モードに設定された映像信号調整部２８は、映像入力部２１から入力される映像信号に対して階調範囲を１６〜２３５から１６〜２３５に拡張する。
一方、映像信号調整部２８は、映像信号判定部２７から入力された階調範囲がフルレンジである場合、上述した拡大処理の処理モードを解除するフラグ設定を行う。すなわち、拡大処理の処理モードが解除された映像信号調整部２８は、映像入力部２１から入力されるフルレンジの映像信号に対する階調範囲の調整をしない。
なお、映像信号調整部２８は、映像信号調整部１８と同様に映像入力部２１から入力される映像入力信号の映像関連情報に基づく映像信号の調整を行う機能も有するものとする。すなわち、第２の表示装置２０を映像入力信号が入力される１台目の表示装置とした場合においても、映像信号調整部２８は映像関連情報に基づく映像信号の調整を行うことができる。
【００４０】
パネル２９は、映像出力部２２のパネル接続部２２２から出力される映像信号（ＤＰ信号）に基づき映像を表示する。上述した階調範囲の設定によって映像信号の階調範囲はパネル２９の階調範囲と同じフルレンジとなり、パネル２９で表示される映像はパネル１９で表示される映像と同じ色合いとなり、映像が不一致になることを防止できる。
【００４１】
なお、図３で説明した映像信号判定部２７１が階調範囲の判定を行うタイミングは、上述の通り、第１の表示装置１０の映像入力信号の変化を示す通信データを受信したときである。映像信号判定部２７１が階調範囲を判定するタイミングによっては、映像入力部２１から入力される映像信号によっては階調範囲を正しく判定できない場合がある。本実施形態では、通信制御線を介して第１の表示装置１０から２台目以降の表示装置に階調範囲を判定するタイミングを通知することにより、２台目以降の表示装置において最適なタイミングで映像信号の階調範囲の判定処理を行うことが可能になる。すなわち、第１の表示装置１０から送信される映像入力信号の変化を示す通信データによって、２台目以降の表示装置は、自動的に階調範囲の判定を行うことができる。従って、映像入力信号の変化を示す通信データは、自動判定のリクエストコマンドとして機能する。
以上で、図１を用いた、第１の実施形態で例示する表示システム１の構成を示す機能ブロック図の説明を終了する。
【００４２】
次に、図４及び図５を用いて、第１の表示システム１の動作を説明する。
図４は、１台目の表示装置として例示する第１の表示装置１０の動作を示すフローチャートである。図５は、２台目以降の表示装置として例示する第２の表示装置２０の動作を示すフローチャートである。
図４において、信号変化検出部１６は、映像入力部１１から入力される映像入力信号の変化があったか否かを判断する（ステップＳ１１）。
映像入力信号の変化がないと判断された場合（ステップＳ１１；ＮＯ）、ステップＳ１１の処理に戻り、映像入力信号の変化があるまでステップＳ１１の処理を繰り返す。
一方、映像入力信号の変化があると判断された場合（ステップＳ１１；ＹＥＳ）、信号変化検出部１６は、図２で説明したＡＶＩ  Ｉｎｆｏｒｍａｔｉｏｎに変化があったか否かを判断する（ステップＳ１２）。
ＡＶＩ  Ｉｎｆｏｒｍａｔｉｏｎに変化がないと判断された場合（ステップＳ１２；ＮＯ）、ステップＳ１１の処理に戻る。
一方、ＡＶＩ  Ｉｎｆｏｒｍａｔｉｏｎに変化があると判断された場合（ステップＳ１２；ＹＥＳ）、信号変化検出部１６は、コマンド送受信部１５に対して、映像入力信号の変化を示す通信コマンドを生成するようにする。生成された通信コマンドは自動判定のリクエストコマンドとして通信制御部１３から２台目以降の表示装置へ送信される（ステップＳ１３）。
【００４３】
図５において、第２の表示装置２０のコマンド送受信部２５は、自動判定のリクエストコマンドを受信したか否かを判断する（ステップＳ２１）。
自動判定のリクエストコマンドを受信していないと判断した場合（ステップＳ１１；ＮＯ）、ステップＳ２１の処理に戻り、自動判定のリクエストコマンドを受信するまでステップＳ２１の処理を繰り返す。
一方、自動判定のリクエストコマンドを受信したと判断した場合（ステップＳ１１；ＮＯ）、コマンド送受信部２５は、映像信号判定部２７に対してコマンドの受信を通知し、映像入力部２１から入力されたＤＰ信号のビデオレベルの階調範囲を自動判定を実行させる（ステップＳ２２）。
ステップＳ２２の処理を実行後、映像信号判定部２７は、階調範囲がリミテッドレンジの範囲内であるか否かを判断する（ステップＳ２３）。
階調範囲がリミテッドレンジの範囲内である場合（ステップＳ２３；ＹＥＳ）、映像信号調整部２８は、拡大処理設定に設定される（ステップＳ２４）。
一方、階調範囲がリミテッドレンジの範囲内でない場合（ステップＳ２３；ＮＯ）、映像信号調整部２８は、拡大処理設定が解除される（ステップＳ２５）。
ステップＳ２４の処理又はステップＳ２５の処理の実行後、ステップＳ２１の処理に戻る。
以上で、図４及び図５を用いた、第１の表示システム１の動作の説明を終了する。
【００４４】
次に、図６を用いて、映像信号判定部２７における他の実施形態について説明する。図６は映像信号判定部２７の第２の構成として例示する映像信号判定部２７２の構成を示すブロック図である。図６において、映像信号映像信号判定部２７２は、最小輝度測定部２７２１、最大輝度測定部２７２２、及び周辺輝度測定部２７２３を備える。
【００４５】
最小輝度測定部２７２１は、図３で説明した最小輝度測定部２７１１と同様に、映像入力部２１から入力されるＤＰ信号のＲＧＢ信号の最小輝度を測定する。最大輝度測定部２７２２は、最大輝度測定部２７１２と同様に、映像入力部２１から入力されるＤＰ信号のＲＧＢ信号の最大輝度を測定する。最小輝度測定部２７２１の判定及び最大輝度測定部２７２２に基づき、映像信号判定部２７１と同様に、映像入力部２１から入力されるＤＰ信号がリミテッドレンジの階調範囲であるか、又はフルレンジの階調範囲であるかを判定する。
【００４６】
周辺輝度測定部２７２３は、映像信号に基づきパネル２９に表示される映像のパネル周辺部分の輝度を測定することにより、映像入力部２１から入力される映像信号（ＤＰ信号）のスケーリングを確認する。映像入力部２１から入力されるＤＰ信号には、図２で説明したＨＤＭＩ信号に含まれていたスケーリングの情報が含まれない。従って、ＤＰ信号のスケーリングの設定とパネル２９におけるスケーリングの設定が不一致であると、パネル２９に表示される映像の周辺部に黒帯部分が生じる場合がある。周辺輝度測定部２７２３は、映像の周辺部の輝度を測定することにより、映像の周辺部分に黒帯部分が生じているか否かを判定し、スケーリングの不一致を検出する。
以上で、図６を用いた、映像信号判定部２７２の構成を示すブロック図の説明を終了する。
【００４７】
次に、図７を用いて、周辺輝度測定部２７２３が輝度を測定するパネル２９に表示される映像の周辺部について説明する。図７は、パネル２９の周辺部に設けられる測定点を示す図である。
図７において、パネル２９の表示画面には、図示しないＰＣからの出力映像１９１が表示されている。パネル２９の表示画面には、表示画面の周辺部１９２において、黒帯部分が生じる場合がある。パネル２９の表示画面には、左上から時計回りに丸印で図示する、Ｐ１〜Ｐ８までの８点の測定点が設定されている。但し、測定点の数及び形状は任意であり、例えば、Ｐ１、Ｐ３、Ｐ５、及びＰ７で図示する４点を測定点としてもよい。また、８点以上の測定点を設定してもよい。さらに、輝度の測定範囲も任意である。図７では測定点を所定の範囲を有する丸印で例示している。所定範囲の輝度は、測定した範囲の輝度の平均値とすることができる。また、所定の範囲の輝度を測定する代わりに、パネル１９の１点（例えば、ＲＧＢ各１画素）の輝度を測定してもよい。スケーリングの不一致は、映像の周辺部分に黒帯部分が生じることにより測定される。従って、測定点の数や形状は、検出対象となる発生する黒帯部分の形状に合わせて設定することが望ましい。黒帯部分は輝度が所定値以下となる部分が帯状に連続することで測定することができる。
以上で、図７を用いた、周辺輝度測定部２７２３が輝度を測定するパネル２９に表示される映像の周辺部についての説明を終了する。
【００４８】
［第２の実施形態］
次に、図８を用いて、第２の実施形態における表示システムを説明する。図８は、第２の実施形態として例示する表示システム２の構成を示す機能ブロック図である。
【００４９】
図８において、表示システム２は、１台目の表示装置として例示する第１の表示装置４０、２台目以降の表示装置として例示する第２の表示装置５０、及び、通信制御線６０を備える。第２の実施形態では、第１の表示装置４０と第２の表示装置５０の２台を備えた表示システムを例示するが、第２の表示装置５０の後段に３台目以降の表示装置をデイジーチェーン接続して表示システムを構成することができる。
【００５０】
第２の実施形態において、第１の表示装置４０と第２の表示装置５０は、それぞれ専用の装置構成である場合を示している。すなわち、第２の実施形態は、最初に映像入力信号が入力される表示装置は常に第１の表示装置４０を使用し、２台目以降の表示装置は第２の表示装置５０を使用して表示システムを構成する場合を例示している。専用の表示装置を使用することにより、表示装置の構成を簡略化してコストの低減を図ることが可能となる。特に、２台目以降の表示装置を多数接続する表示システムにおいて、２台目以降の表示装置のコストの削減を図ることができる。
【００５１】
第１の表示装置４０は、映像入力部４１、映像出力部４２、通信制御部３３、システム制御部４４、コマンド送受信部４５、信号変化検出部４６、映像信号調整部４８、及び、パネル４９を備える。第１の表示装置４０は、第１の表示装置１０が備えていた映像信号判定部１７を備えていない。映像信号判定部１７は、２台目以降に接続される表示装置において利用される機能であり、第１の表示装置においては省略することができる。
【００５２】
第１の表示装置４０における、映像入力部４１、映像出力部４２、通信制御部３３、システム制御部４４、コマンド送受信部４５、信号変化検出部４６、映像信号調整部４８、及び、パネル４９は、第１の表示装置１０における、映像入力部１１、映像出力部１２、通信制御部１３、システム制御部１４、コマンド送受信部１５、信号変化検出部１６、映像信号調整部１８、及び、パネル１９と同様の構成であり、説明を省略する。
【００５３】
第２の表示装置５０は、映像入力部５１、映像出力部５２、通信制御部５３、システム制御部５４、コマンド送受信部５５、映像信号判定部５７、映像信号調整部５８、及び、パネル５９を備える。第２の表示装置５０は、第２の表示装置２０が備えていた、信号変化検出部２６を備えていない。信号変化検出部２６は、入力される映像入力信号の変化を検出する機能であり、映像入力信号が直接入力されない２台目以降の表示装置においては省略することができる。
【００５４】
映像入力部５１は、ＤＰ入力部５１１を有する。映像入力部５１は、映像入力部４１が有する、ＤＶＩ入力部４１１、ＨＤＭＩ入力部４１３、ＨＤ−ＢａｓｅＴ入力部４１４、及び、ＳＤＩ入力部４１５を有していない。すなわち、第２の実施形態においては、２台目以降の表示装置には、常にＤＰ信号がデイジーチェーンで入力される場合を例示している。映像入力部５１の入力ポートを簡略化することにより、２台目以降の表示装置のコストを削減することができる。なお、第２の実施形態ではＤＰ信号をデイジーチェーンで接続する場合を例示したが、ＤＰ信号以外の、例えばＤＶＩ信号によって接続してもよい。
【００５５】
第２の表示装置５０における、映像入力部５１、映像出力部５２、通信制御部５３、システム制御部５４、コマンド送受信部５５、映像信号判定部５７、映像信号調整部５８、及び、パネル５９は、第２の表示装置２０における、映像入力部２１、映像出力部２２、通信制御部２３、システム制御部２４、コマンド送受信部２５、映像信号判定部２７、映像信号調整部２８、及び、パネル２９と同様の構成であり、説明を省略する。
以上で、図８を用いた、第２の実施形態における表示システム２の説明を終了する。
【００５６】
次に、図９を用いて、表示装置の構成を説明する。図９は、表示装置の構成を示す機能ブロック図である。
図９において、表示装置７０は、他の表示装置が受信した映像入力信号に基づく映像信号が入力される映像入力部７１と、映像入力信号の変化を示す通信データを他の表示装置から受信する通信制御部７３と、通信制御部７３が受信した通信データに基づき、映像入力部７１から入力された映像信号の判定を行う映像信号判定部７７と、映像信号判定部７７の判定結果に基づいて、映像信号を調整する映像信号調整部７８とを備える。
以上で、図９を用いた、表示装置７０の構成の説明を終了する。
【００５７】
なお、上述した第１の表示装置１０、第２の表示装置２０、第１の表示装置４０、及び第２の表示装置５０は、パネルが接続可能なコンピュータで実現するようにしてもよい。その場合、各機能ブロックの機能を実現するためのプログラムをコンピュータ読み取り可能な記録媒体に記録して、この記録媒体に記録されたプログラムをコンピュータシステムに読み込ませ、実行することで実現してもよい。ここでいう「コンピュータシステム」とは、ＯＳや周辺機器等のハードウエアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００５８】
また、第１の表示装置１０、第２の表示装置２０、第１の表示装置４０、及び第２の表示装置５０の各機能は、図１、図３、図６、及び図８等で説明した機能を有する限り、複数の図示した機能ブロックを１の機能ブロックにまとめて実装してもよいし、図示した１の機能ブロックを複数の機能ブロックとして分割して実装してもよい。
【００５９】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００６０】
以上に例示した実施形態は、表示装置、表示システム、表示方法、及び表示プログラムに適用することができる。【００６１】
なお、以上の説明に関して更に以下の付記を開示する。
（付記１）
他の表示装置が受信した映像入力信号に基づく映像信号が入力される映像入力部と、
前記映像入力信号の変化を示す通信データを前記他の表示装置から受信する通信制御部と、
前記通信制御部が受信した前記通信データに基づき、前記映像入力部から入力された映像信号の判定を行う映像信号判定部と、
前記映像信号判定部の判定結果に基づいて、前記映像信号を調整する映像信号調整部と
を備える、表示装置。
（付記２）
前記映像信号判定部は、前記映像信号の最小輝度と最大輝度とを測定し、測定された前記最小輝度と前記最大輝度から求められる輝度の範囲が所定の範囲内であるか否かを判定する、付記１に記載の表示装置。
（付記３）
前記映像信号判定部は、前記輝度の範囲が所定の範囲内である場合には前記映像信号の階調範囲が第１の階調範囲であると判定し、前記輝度の範囲が所定の範囲内でない場合には前記映像信号の階調範囲が前記第１の階調範囲より広い階調範囲を有する第２の階調範囲であると判定し、
前記映像信号調整部は、前記映像信号判定部が判定した階調範囲に基づき、前記映像信号の階調範囲を調整する、付記２に記載の表示装置。
（付記４）
前記映像信号判定部は、前記映像信号に基づき表示される映像の周辺部の輝度を測定し、測定された前記周辺部の輝度に基づき前記映像信号のスケーリングを判定する、付記１から３のいずれか１に記載の表示装置。
（付記５）
受信した映像入力信号に基づき、映像信号を出力する映像出力部と、
前記映像入力信号の変化を検出する信号変化検出部と、
前記信号変化検出部が前記映像入力信号の変化を検出したときに、前記映像入力信号の変化を示す通信データを他の表示装置に送信する通信制御部と
を備える、表示装置。
（付記６）
第１の表示装置と、第２の表示装置とを備える表示システムにおいて、
前記第１の表示装置は、
受信した映像入力信号に基づき、映像信号を前記第２の表示装置に出力する映像出力部と、
前記映像入力信号の変化を検出する信号変化検出部と、
前記信号変化検出部が前記映像入力信号の変化を検出したときに、前記映像入力信号の変化を示す通信データを前記第２の表示装置に送信する通信制御部と、
を備え、
前記第２の表示装置は、
前記第１の表示装置から出力された映像入力信号が入力される映像入力部と、
前記映像入力信号の変化を示す通信データを前記第１の表示装置から受信する通信制御部と、
前記通信制御部が受信した前記通信データに基づき、前記映像入力部から入力された映像信号の判定を行う映像信号判定部と、
前記映像信号判定部の判定結果に基づいて、前記映像信号を調整する映像信号調整部と
を備える、表示システム。
（付記７）
他の表示装置が受信した映像入力信号に基づく映像信号が入力される映像入力工程と、
前記映像入力信号の変化を示す通信データを前記他の表示装置から受信する受信工程と、
前記受信工程において受信した前記通信データに基づき、前記映像入力工程において入力された映像信号の判定を行う映像信号判定工程と、
前記映像信号判定工程における判定結果に基づいて、前記映像信号を調整する映像信号調整工程と
を含む、表示方法。
（付記８）
前記映像信号判定工程において、前記映像信号の最小輝度と最大輝度とを測定し、測定された前記最小輝度と前記最大輝度から求められる輝度の範囲が所定の範囲内であるか否かを判定する、付記７に記載の表示方法。
（付記９）
前記映像信号判定工程において、前記輝度の範囲が所定の範囲内である場合には前記映像信号の階調範囲が第１の階調範囲であると判定し、前記輝度の範囲が所定の範囲内でない場合には前記映像信号の階調範囲が前記第１の階調範囲より広い階調範囲を有する第２の階調範囲であると判定し、
前記映像信号調整工程において、前記映像信号判定工程において判定された階調範囲に基づき、前記映像信号の階調範囲を調整する、付記８に記載の表示方法。
（付記１０）
前記映像信号判定工程において、前記映像信号に基づき表示される映像の周辺部の輝度を測定し、測定された周辺部の輝度に基づき前記映像信号のスケーリングを判定する、付記７から９のいずれか１に記載の表示方法。
（付記１１）
受信した映像入力信号に基づき、映像信号を出力する映像出力工程と、
前記映像入力信号の変化を検出する信号変化検出工程と、
前記信号変化検出工程において前記映像入力信号の変化を検出したときに、前記映像入力信号の変化を示す通信データを他の表示装置に送信する通信制御工程と
を含む、表示方法。
（付記１２）
第１の表示装置における、
受信した映像入力信号に基づき、映像信号を第２の表示装置に出力する映像出力工程と、
前記映像入力信号の変化を検出する信号変化検出工程と、
前記信号変化検出工程において前記映像入力信号の変化を検出したときに、前記映像入力信号の変化を示す通信データを前記第２の表示装置に送信する通信制御工程と、
を含み、
前記第２の表示装置における、
前記第１の表示装置から出力された前記映像信号が入力される映像入力工程と、
前記映像入力信号の変化を示す通信データを前記第１の表示装置から受信する通信制御工程と、
前記通信制御工程において受信した前記通信データに基づき、前記映像信号の判定を行う映像信号判定工程と、
前記映像信号判定工程における判定結果に基づいて、前記映像信号を調整する映像信号調整工程と
を含む、表示方法。
（付記１３）
他の表示装置が受信した映像入力信号に基づく映像信号が入力される映像入力処理と、
前記映像入力信号の変化を示す通信データを前記他の表示装置から受信する受信処理と、
前記受信処理において受信した前記通信データに基づき、前記映像信号の判定を行う映像信号判定処理と、
前記映像信号判定処理における判定結果に基づいて、前記映像信号を調整する映像信号調整処理と
をコンピュータに実行させる、表示プログラム。
（付記１４）
前記映像信号判定処理において、前記映像信号の最小輝度と最大輝度とを測定し、測定された前記最小輝度と前記最大輝度から求められる輝度の範囲が所定の範囲内であるか否かを判定する、付記１３に記載の表示プログラム。
（付記１５）
前記映像信号判定処理において、前記輝度の範囲が所定の範囲内である場合には前記映像信号の階調範囲が第１の階調範囲であると判定し、前記輝度の範囲が所定の範囲内でない場合には前記映像信号の階調範囲が前記第１の階調範囲より広い階調範囲を有する第２の階調範囲であると判定し、
前記映像信号調整処理において、前記映像信号判定処理において判定された階調範囲に基づき、前記映像信号の階調範囲を調整する、付記１４に記載の表示プログラム。
（付記１６）
前記映像信号判定処理において、前記映像信号に基づき表示される映像の周辺部の輝度を測定し、測定された周辺部の輝度に基づき前記映像信号のスケーリングを判定する、付記１３から１５のいずれか１に記載の表示プログラム。
（付記１７）
受信した映像入力信号に基づき、映像信号を出力する映像出力処理と、
前記映像入力信号の変化を検出する信号変化検出処理と、
前記信号変化検出処理において前記映像入力信号の変化を検出したときに、前記映像入力信号の変化を示す通信データを他の表示装置に送信する通信制御処理と
をコンピュータに実行させる、表示プログラム。
（付記１８）
第１の表示装置における、
受信した映像入力信号に基づき、映像信号を第２の表示装置に出力する映像出力処理と、
前記映像入力信号の変化を検出する信号変化検出処理と、
前記信号変化検出処理において前記映像入力信号の変化を検出したときに、前記映像入力信号の変化を示す通信データを前記第２の表示装置に送信する通信制御処理と、
を含み、
前記第２の表示装置における、
前記第１の表示装置から出力された前記映像信号が入力される映像入力処理と、
前記映像入力信号の変化を示す通信データを前記第１の表示装置から受信する通信制御処理と、
前記通信制御処理において受信した前記通信データに基づき、前記映像信号の判定を行う映像信号判定処理と、
前記映像信号判定工程における判定結果に基づいて、前記映像信号を調整する映像信号調整処理と
をコンピュータに実行させる、表示プログラム。
【符号の説明】
【００６２】
１、２    表示システム
１０、４０  第１の表示装置
２０、５０、７０  第２の表示装置
１１、２１、４１、５１、７１  映像入力部
１２、２２、４２、５２  映像出力部
１３、２３、４３、５３、７３  通信制御部
１４、２４、４４、５４  システム制御部
１５、２５、４５、５５  コマンド送受信部
１６、２６、４６  信号変化検出部
１７、２７、５７、７７  映像信号判定部
１８、２８、４８、５８、７８  映像信号調整部
１９、２９、４９、５９  パネル
【図１】
2016135881.tif 000003
【図２】
2016135881.tif 000004
【図３】
2016135881.tif 000005
【図４】
2016135881.tif 000006
【図５】
2016135881.tif 000007
【図６】
2016135881.tif 000008
【図７】
2016135881.tif 000009
【図８】
2016135881.tif 000010
【図９】
2016135881.tif 000011
【国際調査報告】
2016135881.tif 000012
2016135881.tif 000013